(57)【要約】【課題】フラッシュカード実施者自身が自分でフラッシュしたフラッシュカードを見ても、他人にフラッシュしてもらうのと同様の記憶増進の効果を奏するフラッシュカードを提供する。【解決手段】本発明に係るフラッシュカードは、表面に文字又は図形を表記した複数のカードからなる一組のフラッシュカードにおいて、前記文字又は図形が左右が反転されて表記されていることを特徴とする。【選択図】　図２
2004126351.tif 000002
【特許請求の範囲】
【請求項１】
表面に文字又は図形を表記した複数のカードからなる一組のフラッシュカードにおいて、前記文字又は図形が左右が反転されて表記されていることを特徴とする一組のフラッシュカード。
【請求項２】
薄板状の基材に文字又は図形を表記した複数のカードからなる一組のフラッシュカードにおいて、前記基材が透明又は半透明であることを特徴とする一組のフラッシュカード。
【請求項３】
文字又は図形を左右を反転して表記した一組のフラッシュカードの、前記文字又は図形を表記した面を当該フラシュカードの実施者が鏡に向けて保持し、前記フラシュカードを前記実施者がフラッシュして、前記鏡に写った前記フラシュカードに表記されている前記文字又は図形を前記実施者が見ることを特徴とするフラッシュカードの実施方法。
【発明の詳細な説明】
【０００１】
【発明の属する技術分野】
本発明は、フラッシュカードの実施者自身が自分でフラッシュしたカードを見ても、他人にフラッシュしてもらうのと同様の記憶増進の効果を奏するフラッシュカード及びフラッシュカードの実施方法に関する。
【０００２】
【従来の技術】
Ｂ６乃至Ａ４版のカードに文字又は図形を表記したフラシュカードは公知である。フラッシュカードは、図５のようにフラッシュカード実施者Ｐが左手にフラッシュカードＣを１０枚程度重ねて保持して、フラッシュカードを見る被実施者Ｑと向かい合って座り、右手で矢印のように実施者Ｐ側の最後部のカードを摘み、０．５〜１秒間に一枚の割合で被実施者Ｑ側の最前部に移動させるようにして実施する。一枚のカードを移動させる時間が０．５〜１秒程度であるので、被実施者Ｑが一枚のカードを見る時間は１秒以下の極めて短い時間となる。なお、本明細書において、上記のようにフラッシュカードを高速度でめくり、フラッシュカードを見る対象者に当該カードに表記した文字又は図形を瞬間的に見せることを「フラッシュする」という。
【０００３】
フラッシュカードは、幼児に対しては一種の知的遊びとして実施されているが（例えば、非特許文献１参照）、小学生以上に対しては、記憶増進のために実施することができる（例えば、特許文献１参照）。上記のように、フラッシュカードは実施者と被実施者が二人で向かい合って実施されているが、他人の手を煩わせることになるため、幼児以外の場合は一人のみで実施できることが望ましい。
【０００４】
そこで、フラッシュカードを見る者が、フラッシュカードの文字又は図形が表記されている面を自身の方に向け、自分自身でフラッシュカードをフラッシュすることが考えられる。しかし、他人のフラッシュするフラッシュカードを見る場合は、自分の意志に依らずフラッシュカードが入れ替わるところに新鮮さ、面白み、強い印象があるのに対して、自分でフラッシュカードをフラッシュした場合はフラッシュカードをめくることを自分の意思により行うため、前記のような新鮮さや面白みなどがなく、フラッシュカードをフラッシュする事による記憶増進の効果が得られないという問題がある。
【０００５】
【非特許文献１】
グレン・ドーマン著「赤ちゃんに読み方をどう教えるか」サイマル出版、１９９０年１２月、ｐ．１２３−１８１
【特許文献１】
特開２０００−２０６８６９号公報
【０００６】
【発明が解決しようとする課題】
フラッシュカード実施者自身が自分でフラッシュしたフラッシュカードを見ても、他人にフラッシュしてもらうのと同様の記憶増進の効果を奏するフラッシュカード及びフラッシュカードの実施方法を提供することを課題とする。
【０００７】
【課題を解決するための手段】
斯かる課題を解決するべく、本発明は、表面に文字又は図形を表記した複数のカードからなる一組のフラッシュカードにおいて、前記文字又は図形が左右が反転されて表記されていることを特徴とする一組のフラッシュカードを提供するものである。
【０００８】
斯かる発明によれば、フラッシュカードに文字又図形が左右を反転して表記されているため、前記フラッシュカードを鏡に写すことにより、左右が反転していない通常の文字又は図形として見ることができる。そして、フラッシュカード実施者がフラッシュカードを鏡に向けてフラッシュし、鏡に写ったフラッシュカードを見ると、あたかも他人がフラッシュしているフラッシュカードを見ているように感じるため、フラッシュカード実施者が自分自身でフラッシュしているフラッシュカードを見ているにも係わらず、新鮮さと面白みを感じ、また強い印象を受けるためフラッシュカードによる記憶増進の効果が得られる。
【０００９】
また、本発明は、薄板状の基材に文字又は図形を表記した複数のカードからなる一組のフラッシュカードにおいて、前記基材が透明又は半透明であることを特徴とする一組のフラッシュカードとしても提供され得る。
【００１０】
斯かる発明によれば、文字又は図形が表記されている基材は透明であるため、前記文字又は図形は、フラッシュカードを一面側から見た場合は左右が反転していない通常の文字又は図形として、また、当該フラッシュカードを反対面側から見た場合は左右が反転した文字又は図形として認識することができる。
【００１１】
従って、フラッシュ実施者が複数のフラッシュカードを保持して、被実施者と向かい合って座り、フラッシュカードをフラッシュして被実施者に見せる場合は、フラッシュ実施者は、被実施者にフラッシュカードの文字又は図形が左右が反転していない通常の文字又は図形として見える面を見せるようにすれば、本発明に係るフラッシュカードを従来のフラッシュカードと同様に使用することができる。
【００１２】
また、本発明に係るフラッシュカードの、文字又は図形が左右が反転して見える面を鏡に写すと、前記文字又は図形は、鏡の中で左右が反転していない通常の文字又は図形として見ることができる。
【００１３】
そして、フラッシュカード実施者がフラッシュカードを保持してフラッシュカードを鏡に向けてフラッシュし、鏡に写ったフラッシュカードを見ると、あたかも他人がフラッシュしているフラッシュカードを見ているように感じるため、フラッシュカード実施者が自分自身でフラッシュしているフラッシュカードを見ているにも係わらず、記憶増進の効果が得られる。
【００１４】
即ち、本発明に係るフラッシュカードは、フラッシュ実施者が被実施者に対してフラッシュカードをフラッシュする場合と、フラッシュカード実施者自身が自分でフラッシュしたフラッシュカードを見る場合との両方の場合に使用することができる。
【００１５】
なお、本発明において半透明の基材とは、薄く着色ないし艶消しされた基材で、当該基材の一面に表記された文字又は図形を他の一面より目視により認識できるものを言う。フラッシュカードの基材が半透明である場合は、フラッシュされるフラッシュカードを見るとき（被実施者が実施者によりフラッシュされるフラッシュカードを見る場合及び実施者が自分自身でフラッシュしたフラッシュカードを見る場合の両方の場合において）、フラッシュカード同士が重なっている場合も、下側のフラッシュカードに表記されている文字又は図形が上側のフラッシュカードの基材により遮蔽される。
【００１６】
従って、基材が透明である場合のように、下側のフラッシュカードに表記されている文字又は図形が透けて見えることにより上側のフラッシュカードに表記されている文字が認識しづらくなることがなくなり、自分自身でフラッシュしたフラッシュカードを見る実施者及び実施者によりフラッシュされるフラッシュカードを見る被実施者は、フラッシュされるフラッシュカードに表記されている文字を、当該フラッシュカードが他のフラッシュカードと重ねられた状態においても容易に読み取ることができる。
【００１７】
また、本発明は、文字又は図形を左右を反転して表記した一組のフラッシュカードの、前記文字又は図形を表記した面を当該フラシュカードの実施者が鏡に向けて保持し、前記フラシュカードを前記実施者がフラッシュして、前記鏡に写った前記フラシュカードに表記されている前記文字又は図形を前記実施者が見ることを特徴とするフラッシュカードの実施方法を提供するものである。
【００１８】
斯かる発明によれば、文字又は図形を左右を反転して表記した一組のフラッシュカードを当該フラシュカードの実施者が保持して鏡に写すため、実施者はフラッシュカードに表記されている左右を反転して表記されている文字又は図形を、左右が反転していない通常の文字又は図形として見ることができる。
【００１９】
そして、前記フラシュカードを前記実施者がフラッシュして、前記鏡に写った前記フラシュカードに表記されている前記文字又は図形を前記実施者が見ることにより、あたかも他人がフラッシュしているフラッシュカードを見ているように感じるため、フラッシュカード実施者が自分自身でフラッシュしているフラッシュカードを見ているにも係わらず、記憶増進の効果が得られる。
【００２０】
【発明の実施の形態】
以下、添付図面を参照しつつ、本発明の実施形態について説明する。
図１は、本発明の第１の実施形態に係る一組のフラッシュカードの内の一枚のフラッシュカードの正面図を示す。図１に示すように、本実施形態に係る一組のフラッシュカードＣ１０の内の一枚のフラッシュカードＣ１１は、大きさＢ６版、厚さ０．５ｍｍ、坪量３５０ｇ／ｍ２の厚紙製の基材１の表面に、記憶すべき対象である英単語ｐａｔｅｎｔの文字２を、左右が反転したいわゆる鏡文字にて印刷して表記して形成されている。前記一組のフラシュカードＣ１０を構成する、フラッシュカードＣ１１以外のフラッシュカードも、フラッシュカードＣ１１と同じ大きさの同じ基材の表面に、前記英単語以外の他の記憶すべき英単語が左右を反転して印刷して形成されている。
【００２１】
図２は、本実施形態に係る一組のフラッシュカードＣ１０の使用方法を示す図である。Ｒはフラシュカードの実施者、Ｃ１０はフラッシュカードの実施者Ｒが保持している一組のフラッシュカード、ＣＲは実施者Ｒ側の最後部に配置されているフラッシュカード、Ｍは鏡、３は左右が反転していない通常の文字として鏡Ｍに写っている、フラッシュカードＣ１１の表面に表記されている文字２である。なお、フラッシュカードＣ１１は、一組のフラッシュカードＣ１０において、鏡Ｍに面した側の最前部に鏡Ｍの方に表面を向けて配置されている。このとき一組のフラッシュカードＣ１０のＣ１１以外のフラッシュカードも鏡Ｍの方を向けて配置されている。
【００２２】
フラッシュカードＣ１０の実施に当たっては、実施者ＲはフラッシュカードＣ１０を保持していない方の手で実施者Ｒ側の最後部のフラッシュカードＣＲを摘み、一組のフラシュカードＣ１０の鏡Ｍに面した側の最前部に矢印のように０．５〜１秒に一枚の割合で順次移動させて行く（フラッシュさせる）。このとき実施者Ｒは、左右が反転していない通常の文字として鏡Ｍに写る、フラッシュカードＣ１０を構成する各フラッシュカードの表面に表記されている文字を見る。
【００２３】
次に、本発明の第２の実施形態について説明する。
図３は、本発明の第２の実施形態に係る一組のフラッシュカードの内の一枚のフラッシュカードの正面図を示す。図３に示すように、本実施形態に係る一組のフラッシュカードの内の一枚のフラッシュカードＣ２１は、大きさＢ６版、厚さ０．２ｍｍの透明のポリプロピレン製の、薄板状の基材としてのフィルム４の表面に、記憶すべき英単語ｐａｔｅｎｔの文字５を、左右が反転していない通常の文字にて印刷して表記して形成されている。前記一組のフラシュカードを構成する、フラッシュカードＣ２１以外のフラッシュカードも、Ｃ２１と同じ大きさの同じフィルムの表面に、前記英単語以外の他の記憶すべき英単語を左右を反転することなく印刷して形成されている。
【００２４】
図４は、図３に示すフラッシュカードＣ２１の背面図を示す。４は薄板状の基材としてのフィルム、５ｂはフィルム４を通して左右が反転して見える、フィルム４の表面に印刷されている文字５である。
【００２５】
本実施形態に係る一組のフラッシュカードをフラッシュカード実施者Ｒ自身が自分でフラッシュして見る場合は、実施者Ｒは当該一組のフラシュカードを構成する各フラッシュカードを、文字が左右が反転して見える面（裏面）を鏡Ｍに向けて保持する。以下実施者Ｒは、前記第１の実施形態に係るフラッシュカードＣ１０の場合と同様にフラッシュを実施して、鏡Ｍに写る各フラッシュカードの表面に表記されている文字を見る。
【００２６】
また、本実施形態に係る一組のフラッシュカードは、図５に示すような従来のフラッシュカードＣの場合と同様に、フラッシュ実施者Ｐがフラッシュカードを被実施者Ｑに対してフラッシュする場合にも使用することができる。この場合はフラッシュ実施者Ｐは一組のフラッシュカードを構成する各フラッシュカードの、文字が左右反転することなく表示されている面（表面）を被実施者Ｑに向けて保持してフラッシュを実施する。
【００２７】
ここで、本実施形態に係る一組のフラッシュカードを構成する各フラッシュカードの基材は透明フィルム４であるため、各フラッシュカードを互いに重ねると、上側のフラッシュカードを通してその下側のフラッシュカードに表記されている文字が見え、上側のフラッシュカードに表記されている文字が認識しづらくなる。
【００２８】
従って、本実施形態に係る一組のフラッシュカードをフラッシュカード実施者Ｒ自身が自分でフラッシュして見る場合及び、フラッシュ実施者Ｐがフラッシュカードを見る被実施者Ｑに対してフラッシュカードをフラッシュする場合において、実施者Ｒ及び被実施者Ｑは、フラッシュされるフラッシュカードに表記されている文字を、当該フラッシュカードが他のフラッシュカードと重ねられる前に読み取るようにするのが好ましい。
【００２９】
なお、基材として半透明のフィルムを使用すれば、フラッシュカード同士が重なった場合も、下側のフラッシュカードに表記されている文字が上側のフラッシュカードの基材により遮蔽されるため、上側のフラッシュカードに表記されている文字が認識しづらくなることがなくなり、実施者Ｒ及び被実施者Ｑは、フラッシュされるフラッシュカードに表記されている文字を、当該フラッシュカードが他のフラッシュカードと重ねられた状態においても容易に読み取ることができる。
【００３０】
【発明の効果】
以上に説明したように、本発明に係るフラッシュカードによれば、フラッシュカードに文字又図形が左右を反転して表記されているため、前記フラッシュカードを鏡に写すことにより、左右が反転していない通常の文字又は図形として見ることができる。そして、フラッシュカード実施者がフラッシュカードを鏡に向けてフラッシュし、鏡に写ったフラッシュカードを見ると、あたかも他人がフラッシュしているフラッシュカードを見ているように感じるため、フラッシュカード実施者が自分自身でフラッシュしているカードを見ているにも係わらず、フラッシュカードによる記憶増進の効果が得られる。
【図面の簡単な説明】
【図１】図１は、本発明の第１の実施形態に係る一組のフラッシュカードの内の一枚のフラッシュカードの正面図を示す図である。
【図２】図２は、本発明の第１の実施形態に係る一組のフラッシュカードの使用方法を示す図である。
【図３】図３は、本発明の第２の実施形態に係る一組のフラッシュカードの内の一枚のフラッシュカードの正面図を示す図である。
【図４】図４は、図３に示すフラッシュカードの背面図を示す図である。
【図５】図５は、従来のフラッシュカードの実施方法を示す図である。
【符号の説明】
２，５　文字
Ｃ１０，Ｃ１１，Ｃ２１　フラッシュカード
【図１】
2004126351.tif 000003
【図２】
2004126351.tif 000004
【図３】
2004126351.tif 000005
【図４】
2004126351.tif 000006
【図５】
2004126351.tif 000007